(57)【要約】【課題】  １回の撮影で複数の画像を記録することが可能な撮像装置において、ユーザの使い勝手を考慮した記録動作を行うことを可能とすることを目的とする。【解決手段】  動画撮影モードや連写モードなど、処理負荷の高い動作モードにおいては、複数同時記録を禁止する。複数同時記録が禁止されている際、所定の画像処理効果を適用した撮影を行う場合には、オリジナル画像は記録せず、効果適用画像のみを記録するようにする。【選択図】  図２
2006211392.tif 000002
【特許請求の範囲】
【請求項１】
撮影画像と、当該撮像画像に画像処理効果を適用することにより得られる効果画像との両方を生成、記録する複数同時記録機能を有する撮像装置において、
前記撮像装置の撮影条件又は記録速度に関する条件の少なくとも一方に基づいて、前記複数同時記録機能の利用を許可するかどうかを判定する判定手段と、
前記判定手段により前記複数同時記録機能の利用を許可しないと判定された場合には、前記複数同時記録の利用の設定有無にかかわらず前記効果画像のみを記録するように記録手段を制御する制御手段を有することを特徴とする撮像装置。
【請求項２】
前記判定手段が、前記撮像装置の撮像条件が動画撮影モード又は連写モードである場合には、前記複数同時記録機能の利用を許可しないとの判定を行うことを特徴とする請求項１記載の撮像装置。
【請求項３】
前記判定手段が、前記記録手段の記録速度に応じて前記複数同時記録機能の利用を許可することを特徴とする請求項１記載の撮像装置。
【請求項４】
前記判定手段が、動画撮影中に静止画撮影を行う場合には当該静止画撮影に対して前記複数同時記録機能の利用を禁止することを特徴とする請求項１記載の撮像装置。
【請求項５】
ユーザに設定画面を表示する表示手段をさらに有し、
前記表示手段は、前記判定手段が前記複数同時記録機能の利用を許可すると判定した場合には、前記設定画面中に前記複数同時記録機能の利用を設定するための項目を選択可能に表示することを特徴とする請求項１乃至請求項４のいずれか１項に記載の撮像装置。
【請求項６】
前記判定手段が前記複数同時記録機能の利用を許可しないと判定した場合、前記表示手段は前記設定画面中に前記複数同時記録機能の利用を設定するための項目を選択可能に表示しないことを特徴とする請求項５記載の撮像装置。
【請求項７】
撮影画像と、当該撮像画像に画像処理効果を適用することにより得られる効果画像との両方を生成、記録する複数同時記録機能を有する撮像装置の制御方法において、
前記撮像装置の撮影条件又は記録速度に関する条件の少なくとも一方に基づいて、前記複数同時記録機能の利用を許可するかどうかを判定する判定工程と、
前記判定工程により前記複数同時記録機能の利用を許可しないと判定された場合には、前記複数同時記録の利用の設定有無にかかわらず前記効果画像のみを記録するように記録手段を制御する制御工程を有することを特徴とする撮像装置の制御方法。
【発明の詳細な説明】
【技術分野】
【０００１】
本発明は、静止画像や動画像を撮像する撮像装置及びその制御方法に関する。
【背景技術】
【０００２】
従来より、１枚の撮影画像データから、異なる条件で処理した複数枚の画像を同時に記録可能な撮像装置が知られている。例えば特許文献１には、１枚の撮影画像データに対して異なる圧縮率での符号化を行うなどして得た複数の画像を、複数の記憶装置に分けて保存する撮像装置が開示されている。
【０００３】
【特許文献１】特開２００１−８０８８号公報
【発明の開示】
【発明が解決しようとする課題】
【０００４】
１枚の撮影画像データを元に複数枚の画像を生成、記録する場合には、１枚の画像のみを記録する場合よりも画像処理や記憶装置への書き込みに要する時間が長くなる。その結果、撮影後に次の撮影ができるようになるまでの時間が延びてしまい、シャッターチャンスを逃してしまったり、連写モードが設定されている場合に連写間隔が長くなってしまうなど、レスポンスが低下し、ユーザーの使い勝手を低下させてしまう虞がある。
【０００５】
本発明はこのような従来技術の問題点に鑑みなされたものであり、同時に複数の画像を記録可能な撮像装置において、ユーザの使い勝手を考慮した記録動作を行うことを可能とすることを目的とする。
【課題を解決するための手段】
【０００６】
上述の目的は、撮影画像と、当該撮像画像に画像処理効果を適用することにより得られる効果画像との両方を生成、記録する複数同時記録機能を有する撮像装置において、撮像装置の撮影条件又は記録速度に関する条件の少なくとも一方に基づいて、複数同時記録機能の利用を許可するかどうかを判定する判定手段と、判定手段により複数同時記録機能の利用を許可しないと判定された場合には、複数同時記録の利用の設定有無にかかわらず効果画像のみを記録するように記録手段を制御する制御手段を有することを特徴とする撮像装置によって達成される。
【発明の効果】
【０００７】
このような構成により、本発明によれば、少なくとも撮像装置に設定されている撮影条件が予め定めた複数枚同時記録を禁止する条件を満たす場合には複数枚同時記録を禁止するので、ユーザの使い勝手を考慮した記録動作が可能になる。
【発明を実施するための最良の形態】
【０００８】
以下、図面を参照して本発明をその好適な実施形態に基づいて詳細に説明する。
以下の実施形態では、撮像装置の一例としてのデジタルスチルカメラに本発明を適用した例を説明する。しかし、本発明はデジタルスチルカメラに限らず、画像を電気信号又はデジタルデータとして記録する任意の撮像装置（例えば、デジタルビデオカメラ、デジタルスチルカメラ）及び、このような撮像装置を内蔵もしくは利用可能な任意の装置、例えば、撮像機能を有する情報処理装置（例えば、パーソナルコンピュータ）や撮像機能を有する携帯端末（例えば、携帯電話機）に適用することが可能である。
【０００９】
（構成の説明）
図１は、本実施形態に係るデジタルスチルカメラ（以下、単にデジタルカメラという）の構成例を示すブロック図である。
デジタルカメラ１００は、光学系（撮像用レンズ）１０を介して被写体像を撮影するように構成されている。光学系１０は、ズームレンズとして構成されうる。これにより光学ズーム機能が提供されている。デジタルカメラ１００は、更に、撮像素子１４によって撮像される画像を画像処理により拡大することによる電子ズーム機能を有するように構成されうる。なお、デジタルカメラ１００は、光学ズーム及び電子ズームのいずれか一方の機能のみを有するように構成される場合もある。また、一眼レフ形式のデジタルカメラなどに見られるように、光学系１０は交換可能であってもよい。
【００１０】
光学ズーム機能は、光学系１０内の駆動機構又はデジタルカメラ１００の本体側の駆動機構により、光学系１０の変倍用のレンズを駆動することにより実現される。
【００１１】
光学系（撮影用レンズ）１０を通る被写体からの光線（レンズの画角内に入射する光線）は、絞り機能を備えるシャッター１２の開口を通して撮像素子（例えば、ＣＣＤセンサ、ＣＭＯＳセンサ）１４の撮像面に被写体の光学像を形成する。撮像素子１４は、この光学像をアナログ画像信号に変換して出力する。Ａ／Ｄ変換器１６は、撮像素子１４から提供されるアナログ画像信号をデジタル画像信号（画像データ）に変換する。撮像素子１４及びＡ／Ｄ変換器１６は、タイミング発生回路１８から提供されるクロック信号や制御信号によって制御される。タイミング発生回路１８は、メモリ制御回路２２及びシステム制御回路５０により制御される。
【００１２】
画像処理回路２０は、Ａ／Ｄ変換器１６から提供される画像データ又はメモリ制御回路２２から提供される画像データに対して画素補間処理や色変換処理等の画像処理を行う。また、画像処理回路２０は、撮像画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算して、その演算結果をシステム制御回路５０に提供する。システム制御回路５０は、この演算結果に基づいて露光制御部４０、測距制御部（ＡＦ制御部）４２を制御し、自動露出やオートフォーカス機能を実現している。更に、画像処理回路２０は、撮像画像データに基づいてＴＴＬ方式のＡＷＢ（オートホワイトバランス）処理も実行する。
【００１３】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１４】
Ａ／Ｄ変換器１６から出力される画像データは、画像処理回路２０及びメモリ制御回路２２を介して、又は、メモリ制御回路２２のみを介して、画像表示メモリ２４或いはメモリ３０に書き込まれる。なお、画像表示メモリ２４へは、画像表示部２８が備える表示器の解像度に応じて画像データを適宜間引きして書き込む。画像表示メモリ２４に書き込まれた表示用の画像データはＤ／Ａ変換回路２６を介して画像表示用のアナログ信号となり、画像表示部２８により表示される。画像表示部２８の表示器はＴＦＴ ＬＣＤ等で構成される。
【００１５】
画像表示部２８に撮像画像を連続的に表示することにより、電子ビューファインダー（ＥＶＦ）機能が実現される。画像表示部２８は、システム制御回路５０からの指令によって任意に表示をＯＮ／ＯＦＦされうる。表示をＯＦＦすることにより、デジタルカメラ１００の電力消費を大幅に低減することができる。
【００１６】
メモリ３０は、撮影した静止画像や動画像を格納するために使用される。メモリ３０は所定枚数の静止画像や所定時間の動画像を格納するのに十分な記憶量と読み書き速度速度を備えている。これにより、複数枚の静止画像を連続して撮影する連射撮影やパノラマ撮影の場合にも、高速かつ大量の画像データ書き込みをメモリ３０に対して行うことが可能となる。また、メモリ３０は、システム制御回路５０の作業領域としても使用されうる。
【００１７】
圧縮・伸長回路３２は、例えば適応離散コサイン変換（ＡＤＣＴ）等により画像データを圧縮・伸長する回路であり、メモリ３０に格納された画像データを読み込んで圧縮処理或いは伸長処理を行い、処理後の画像データをメモリ３０に書き込むように構成されうる。
【００１８】
露光制御部４０は、システム制御回路５０から提供される情報に基づいて、絞り機能を備えるシャッター１２を制御する。また、露光制御部４０は、フラッシュ（発光装置）４８と連携したフラッシュ調光機能も有しうる。フラッシュ４８は、フラッシュ調光機能及びＡＦ補助光の投光機能を有する。
【００１９】
測距制御部４２は、システム制御回路５０から提供される情報に基づいて、光学系１０のフォーカシング用レンズを制御する。ズーム制御部４４は、光学系１０のズーミングを制御する。バリア制御部４６は、光学系１０を保護するバリア１０２の動作を制御する。
【００２０】
システム制御回路５０は例えばＣＰＵであり、メモリ５２に記憶されたプログラムを実行することによりデジタルカメラ１００全体を制御する。また、システム制御回路５０は、画像表示部２８に表示する、撮像条件及び／又は撮像装置の状態などを示すオブジェクト（表示物）を描画する処理等を実行する画像処理部５０ａを含む。
【００２１】
メモリ５２は、システム制御回路５０の動作用の定数、変数、プログラム、更には、画像表示部２８にオブジェクトを表示するためのオブジェクトデータ等を記憶する。オブジェクトデータは、典型的には、デジタルカメラ１００の出荷前にメモリ５２に書き込まれうる。オブジェクトデータは、或いは、デジタルカメラ１００の出荷後に、電気通信回線を通じてダウンロードされるデータ又は記録媒体に収めてユーザーに提供されるデータに基づいてユーザーによって書き換えられてもよいし、サービスセンター等において書き換えられてもよい。
【００２２】
例えば、ＬＣＤやＬＥＤである表示部５４及び、例えば、スピーカである音源５５は、システム制御回路５０におけるプログラムの実行に応じて、文字、画像、音声等により動作状態やメッセージ等を出力するように構成される。表示部５４は例えば操作部７０近辺の視認し易い位置に、単数或いは複数設置される。また、表示部５４の一部は光学ファインダー１０４内に設置されている。
【００２３】
表示部５４に表示される情報としては、例えば、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付・時刻表示、外部コンピュータとの接続状態を示す表示、合焦表示、撮影準備完了表示、手振れ警告表示、フラッシュ充電表示、記録媒体書き込み動作表示、等がある。これらの一部又は全部は光学ファインダー１０４内に表示されうる。
【００２４】
不揮発性メモリ５６は、例えばＥＥＰＲＯＭ等の、電気的に消去・記録可能なメモリである。上述したオブジェクトデータは、不揮発性メモリ５６に格納されてもよい。
【００２５】
モードダイヤル６０、シャッタースイッチ６２及び６４、画像表示ＯＮ／ＯＦＦスイッチ６６、フラッシュ設定ボタン６８及び操作部７０は、システム制御回路５０に各種の動作指示を入力するための操作手段を構成し、ボタン、スイッチ、ダイアル、タッチパネル、視線検知によるポインティング、音声認識装置等の単数或いは複数の組み合わせで構成される。
【００２６】
ここで、これらの操作手段の具体的な説明を行う。
モードダイアルスイッチ６０は、例えば電源オフ、自動撮影モード、撮影モード（動画撮影モード、連写モード、パノラマ撮影モードなど）、再生モード、マルチ画面再生・消去モード、ＰＣ接続モード等の各機能モードを切り替え設定するためのスイッチである。
【００２７】
第１シャッタースイッチ（ＳＷ１）６２は、シャッターボタン３１０の操作途中（半押し）でＯＮとなり、ＡＦ（オートフォーカス）処理、ＡＥ（自動露出）処理、ＡＷＢ（オートホワイトバランス）処理、ＥＦ（フラッシュプリ発光）処理等の開始をシステム制御回路５０に指示する。
【００２８】
第２シャッタースイッチ（ＳＷ２）６４は、シャッターボタン３１０の操作完了（全押し）でＯＮとなり、撮像素子１４から画像信号を読み出してＡ／Ｄ変換器１６で画像データに変換した後にこれを画像処理回路２０で処理してメモリ制御回路２２を介してメモリ３０に書き込む処理や、メモリ３０から画像データを読み出して圧縮・伸長回路３２で圧縮しその圧縮された画像データを記録媒体２００又は２１０に書き込む処理を含む一連の処理（撮影）の開始をシステム制御回路５０に指示する。
【００２９】
ズーム操作部６５は、撮影画角（ズーム倍率或いは撮影倍率）を変更するために撮影者によって操作される操作部であって、例えば、スライド式の操作部材又はレバー式の操作部材とその動作を検知するスイッチ又はセンサとによって構成されうる。
【００３０】
画像表示ＯＮ／ＯＦＦスイッチ６６は、画像表示部２８の表示ＯＮ／ＯＦＦ設定用スイッチである。光学ファインダー１０４を用いて撮影を行う際に、例えばＴＦＴ ＬＣＤ等から成る画像表示部２８の表示をＯＦＦして電流供給を遮断することにより、省電力を図ることが可能となる。
【００３１】
フラッシュ設定ボタン６８は、フラッシュの動作モードを設定・変更するボタンである。本実施形態において設定可能なモードは、オート、常時発光、赤目緩和オート、常時発光（赤目緩和）がある。オートは、被写体の明るさに応じて自動的にフラッシュを発光して撮影するモードである。常時発光は、常にフラッシュを発光して撮影するモードである。赤目緩和オートは、被写体の明るさに応じて自動的にフラッシュを発光して撮影するとともに、フラッシュ発光の際には、常に赤目緩和ランプを発光するモードである。常時発光（赤目緩和）は、常に赤目緩和ランプとストロボを発光して撮影するモードである。
【００３２】
操作部７０は各種ボタンやタッチパネル等からなり、メニューボタン、セットボタン、マクロボタン、マルチ画面再生改ページボタン、単写／連写／セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付／時間設定ボタン、圧縮モードスイッチ等がある。
【００３３】
圧縮モードスイッチは、ＪＰＥＧ(Joint Photographic Expert Group)圧縮の圧縮率や、ＲＡＷモードでの記録などを設定、選択するためのスイッチである。ＲＡＷモードでは、撮像素子が出力するアナログ画像信号をそのままデジタル化したデータ（ＲＡＷデータ）を記録する。
【００３４】
なお、本実施形態においてＲＡＷデータとは、撮像素子にて光電変換されたデータをＡ／Ｄ変換しただけのデータのみならず、Ａ／Ｄ変換後に可逆圧縮したデータであってもよい。また、Ａ／Ｄ変換を施したアナログ画像信号に、少なくともホワイトバランス処理を施していない段階のもの、輝度信号と色信号に分ける色分離処理をしていない段階のもの、色補間処理前の段階のもの等、撮像素子からの出力情報を損失なく維持している状態のデータを指す。また、ＲＡＷデータは、デジタル化されたものに限らず、撮像素子から得られるアナログ画像信号そのものでも良い。
【００３５】
本実施形態において、ＪＰＥＧ圧縮のモードは、例えばノーマルモードとファインモードが用意されている。デジタルカメラ１００のユーザは、撮影した画像のデータサイズを重視する場合はノーマルモードを、撮影した画像の画質を重視する場合はファインモードを、それぞれ選択して撮影を行うことができる。
【００３６】
ＪＰＥＧ圧縮のモードにおいては、圧縮伸長回路３２が、メモリ３０に書き込まれた画像データを読み出し、設定された圧縮率に圧縮した後、例えば記録媒体２００に記録する。
【００３７】
ＲＡＷモードでは、撮像素子１４の色フィルタの画素配列に応じて、ライン毎にそのままアナログ画像信号を読み出し、Ａ／Ｄ変換器１６、メモリ制御回路２２を介して、メモリ３０に書き込まれた画像データを、記録媒体２００または２１０に記録する。
【００３８】
なお、本実施形態のデジタルカメラ１００は、ユーザによる１回の撮影（１枚の撮影画像）に基づいて複数の画像データ記録が可能な複数同時記録が可能である。具体的には、オートブラケットモードに代表される、ホワイトバランスや露出といった撮影条件を段階的に変えた画像データの記録だけでなく、ＪＰＥＧ形式及びＲＡＷ形式での記録といったように、データ形式の異なる複数の画像データ記録や、圧縮率の異なる同形式の画像データ記録、所定の画像処理を行った画像データと、行わないオリジナル画像データの記録といったような、撮影後の画像処理内容が異なる画像の記録も含まれる。
【００３９】
電源制御部８０は、例えば、電源検出回路、ＤＣ−ＤＣコンバータ、通電するブロックを切り替えるスイッチ回路等を含む。そして、電源の有無、電源の種類、電池残量の検出を行い、その検出結果とシステム制御回路５０からの指令に従って、ＤＣ−ＤＣコンバータを制御し、必要な電圧を必要な期間、必要なブロックに供給する。電源８６は、例えば、アルカリ電池やリチウム電池等の一次電池や、ＮｉＣｄ電池やＮｉＭＨ電池、Ｌｉ電池等の二次電池、ＡＣアダプター等である。デジタルカメラ１００の本体と電源８６は、それぞれが有するコネクタ８２、８４によって接続される。
【００４０】
記録媒体２００及び２１０は、半導体メモリや磁気ディスク等から構成される記録部２０２、２１２と、デジタルカメラ１００とのインターフェース２０４、２１４及びコネクタ２０６、２１６を有している。記録媒体２００及び２１０は、媒体側のコネクタ２０６、２１６とデジタルカメラ１００側のコネクタ９２、９６とを介してデジタルカメラ１００に装着される。コネクタ９２、９６にはインターフェース９０及び９４が接続される。記録媒体２０２、２１２の装着有無は、記録媒体着脱検知部９８によって検知される。
【００４１】
なお、本実施形態ではデジタルカメラ１００が記録媒体を取り付けるインターフェース及びコネクタを２系統持つものとして説明しているが、記録媒体を取り付けるインターフェース及びコネクタは、単数を含む任意の数備えることができる。また、系統毎に異なる規格のインターフェース及びコネクタを用いても良い。
【００４２】
インターフェース及び９４、そしてコネクタ９２及び９６としては、例えばＰＣＭＣＩＡカードやＣＦ（コンパクトフラッシュ（登録商標））カード等、規格に準拠したものを用いることができる。この場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を相互に転送することができる。
【００４３】
光学ファインダー１０４は例えばＴＴＬファインダーであり、プリズムやミラーを用いてレンズ１０を通じた光束を結像する。光学ファインダー１０４を用いることで、画像表示部２８による電子ファインダー機能を使用すること無しに撮影を行うことが可能である。光学ファインダー１０４内には、表示部５４の一部を構成する表示素子、例えば、合焦表示、手振れ警告表示、フラッシュ充電表示、シャッタースピード表示、絞り値表示、露出補正表示を行うための表示素子が配置されうる。
【００４４】
通信回路１１０は、ＵＳＢ、ＩＥＥＥ１３９４、Ｐ１２８４、ＳＣＳＩ、モデム、ＬＡＮ、ＲＳ２３２Ｃ、無線通信等の各種通信機能を提供する。通信回路１１０には、デジタルカメラ１００を他の機器と接続するためのコネクタ１１２、又は、無線通信機能を提供する際にはアンテナが接続されうる。
【００４５】
（記録設定処理）
次に、図２乃至図４を参照して、本実施形態に係るデジタルカメラ１００の記録設定動作について説明する。なお、この処理は、例えばデジタルカメラ１００の操作部７０に含まれるメニューボタン、メニュー移動（＋）ボタン、メニュー移動（−）ボタン等の操作により、記録メニューの表示が指示された際に実行されるものとするが、他の任意のタイミングや操作に応じて行われても良い。
【００４６】
まず、判定手段としてのシステム制御回路５０は、デジタルカメラ１００の動作モードを、例えばモードダイアル６０の設定位置から判別する（ステップＳ２０１）。動画撮影モード又は連写モードであればステップＳ２０３へ、静止画の単写モードである場合にはステップＳ２０９へ進む。本実施形態のデジタルカメラ１００は撮影モードとして動画撮影モード、静止画連写モード、静止画単写モードのみを有するため、ステップＳ２０１では動画撮影モードでも静止画連写モードでもない場合には自動的に静止画の単写モードであると判定している。
【００４７】
ステップＳ２０３では、システム制御回路５０内の画像処理部５０ａが、図３に示すような、複数同時記録を設定するための「オリジナル保存」項目が選択不能とされた設定画面（「記録メニュー」）を、画像表示部２８へ表示させる。
【００４８】
ユーザは、この設定画面から所望の設定項目に関する設定を行うことが可能である。なお、図３では、電子ズームのＯＮ／ＯＦＦ、セルフタイマーのＯＮ／ＯＦＦ、撮影画像の電子ファインダー上のクイックプレビュー表示時間及び撮影時に適用する画像処理効果の一例としての色変換処理（例えば撮影画像中に含まれる所定色を他の色に変換する、撮影画像全体をグレースケール画像に変換するなど）のＯＮ／ＯＦＦの設定が可能となっている場合を示しているが、設定可能な項目はこれらに限定されない。他の項目が含まれていても良いし、これら項目の１つ以上が含まれていなくても良い。また、画像処理効果もまた色変換処理に限定されず、画質の異なる画像を得るような処理も含まれる。
【００４９】
設定画面表示中に例えば操作部７０に含まれるセットボタンが押下されると、設定終了と見なして（ステップＳ２０５、Ｙ）システム制御回路５０は設定内容を例えば不揮発性メモリ５６に保存する（ステップＳ２０７）。この際、設定画面中設定不能とされていた「オリジナル保存」項目に対応する設定内容は「無し」又は「ＯＦＦ」であり、複数同時記録は行わないものとの設定内容が保存される。以上で、動画撮影モード及び連写モードにおける記録設定処理は終了する。
【００５０】
一方、静止画単写モードの場合には、ステップＳ２０９において、システム制御回路５０内の画像処理部５０ａは、図４に示すような、複数同時記録を設定するための「オリジナル保存」項目が選択可能に含まれる設定画面（「記録メニュー」）を、画像表示部２８へ表示させる。
【００５１】
設定画面表示中に例えば操作部７０に含まれるセットボタンが押下されると、設定終了と見なして（ステップＳ２１１、Ｙ）システム制御回路５０は設定内容を例えば不揮発性メモリ５６に保存する（ステップＳ２１３）。この際、設定画面中の「オリジナル保存」項目に対応する設定内容はユーザの設定に応じて「無し」（又は「ＯＦＦ」）、或いは「有り」（又は［ＯＮ」）の値が保存される。以上で、静止画単写モードにおける記録設定処理は終了する。
【００５２】
（撮影・記録処理）
次に、図５に示すフローチャートを用いて、本実施形態にかかるデジタルカメラ１００の撮影・記録処理について説明する。この処理は、例えばシャッターボタンの押下により撮影の開始が指示された際に実行される。
【００５３】
まずシステム制御回路５０は、デジタルカメラ１００の動作モードを、例えばモードダイアル６０の設定位置から判別する（ステップＳ３０３）。動画撮影モード又は連写モードであればステップＳ３０５へ、静止画の単写モードである場合にはステップＳ３１１へ進む。
【００５４】
ステップＳ３０５で、システム制御回路５０は、不揮発性メモリ５６を参照して記録設定の内容を取得して、撮影時の画像処理効果の適用が設定されているかどうかを確認する。そして、設定がなされている場合にはステップＳ３０７で、設定された画像処理効果を適用した動画像データを記録媒体２００又は２１０に記録し、画像処理効果を適用しないオリジナル動画像データの記録は行わない。
【００５５】
ステップＳ３０７において、システム制御回路５０及びメモリ制御回路２２は例えば以下のように記録処理を行う。まず、撮像素子１４から読み出した信号をＡ／Ｄ変換器１６、メモリ制御回路２２を介してメモリ３０に画像データを書き込むという一連の露光処理を行う。そして、その後、メモリ３０に書き込まれているオリジナル画像に対して画像処理回路２０により、例えば特開２００４−８０１００号公報に開示されるような周知の色変換処理を適用し、画像処理効果有りの画像データを生成してメモリ３０に書き出す。さらに、メモリ３０から画像データを読み出し圧縮・伸長回路３２で動画記録（動画撮影モード）又は静止画記録（連写モード）に応じた形式の圧縮を行い、記録媒体２００或いは２１０に画像データを書き込む。この時、動画撮影モード又は連写モードで、撮影時の画像処理効果の適用が設定されている場合は、メモリ３０に書き込まれているオリジナル画像をメモリ上に残さずに、画像処理効果有りの画像データで書き換えるようにすることにより、メモリ領域の削減が可能である。
以後撮影の中断又は終了が指示されるまで、継続して撮影、記録処理を継続する。
【００５６】
また、ステップＳ３０５で、撮影時の画像処理効果の適用が設定されていない場合には、ステップＳ３０９において、画像処理効果を適用しないオリジナル動画像又は静止画像データを記録媒体２００又は２１０に記録し、画像処理効果の適用処理は行わない。
【００５７】
つまり、ステップＳ３０７における記録動作のうち、メモリ３０に記憶されたオリジナル画像データに対して圧縮・伸長回路３２で圧縮を行い、記録媒体２００或いは２１０に画像データを書き込む。以後撮影の中断又は終了が指示されるまで、継続して撮影、記録処理を継続する。
【００５８】
ステップＳ３０３において撮影モードが静止画単写モードの場合、ステップＳ３１１においてシステム制御回路５０は不揮発性メモリ５６を参照して記録設定の内容を取得して、複数同時記録の設定がなされているか（「有り」又は「ＯＮ」であるかどうか）を確認する。そして、設定がなされていない場合には、ステップＳ３０５へ移行し、上述したとおりの撮影、記録処理を行う。
【００５９】
複数同時記録の設定がなされている場合には、ステップＳ３１３でシステム制御回路５０は、ステップＳ３０５と同様にして撮影時の画像処理効果の適用が設定されているかどうかを確認する。そして、設定がなされている場合にはステップＳ３１５で、設定された画像処理効果を適用した静止画像データと、画像処理効果を適用しないオリジナル静止画像データの両方を記録媒体２００又は２１０に記録する。
【００６０】
ステップＳ３１５における撮影、記録処理は基本的にステップＳ３０７における連写モードの処理と共通するが、露光処理でメモリ３０に書き込まれたオリジナル画像と、画像処理効果を適用した後でメモリ３０に書き込まれた画像の両方に対して圧縮・伸長回路３２で圧縮を行い、記録媒体２００或いは２１０に２枚の画像データを書き込む。
【００６１】
ステップＳ３１３において撮影時の画像処理効果の適用が設定されていないことが検出された場合には、ステップＳ３１７においてバックアップ記録を行う。つまり、画像処理効果の適用は行わず、記録媒体２００或いは２１０に２枚のオリジナル画像データを書き込む。この際、異なる記録媒体に書き込んでも、同一の記録媒体に書き込んでもよい。
【００６２】
このように、本実施形態によれば、１枚の撮影画像に基づいて複数の画像を同時記録する複数同時記録機能を有する撮像装置において、動画撮影や連写など、処理負荷が大きい状況においては複数同時記録を許可しないことにより、レスポンス及び使い勝手の良い撮像装置を実現することができる。
【００６３】
なお、本実施形態では、本発明の理解を容易にするため、動画撮影モードと連写モードに設定されたときに複数同時記録を不可とした場合について説明した。しかし、次の撮影のシャッターチャンスを逃すことのないように１回の撮影が終了してから次の撮影が開始できるまでの待ち時間を所定時間以下にすることが可能であれば、複数同時記録を禁止する条件については適宜設定することができる。
【００６４】
例えば、記録媒体が高速書き込み可能なタイプであることが検出された場合には、例えば連写モードについては複数同時記録を許可するようにしても良い。この時、記録媒体の書き込み性能（速度）の測定方法として、たとえば起動時に記憶媒体に一定量のダミーデータを書き込んで、書き込み時間を計っておく方法などがある。同様に、通常の撮像素子の画素数よりも少ない画素数での撮影が設定されている場合（ＶＧＡサイズが選択された場合等）には連写モードに加えて動画モードであっても複数同時記録を許可するようにしてもよい。
【００６５】
例えば、３００万画素（２０４８ｘ１５３６）のカメラにおいて、ＶＧＡサイズ（６４０ｘ４８０）を撮影する場合、リサイズ処理に３００万画素よりも時間がかかるが、リサイズ後の信号処理、圧縮、カード書き込みの処理時間は３００万画素よりも短いため、トータルの撮影から記録までの時間は３００万画素の撮影記録時間よりも短くなる場合がある。このような、処理負荷が大きく同時記録を禁止すべきと考えられる、撮影条件（撮影モードや画素数など）や記録速度に関する条件（記録媒体の書き込み性能など）の組合せは、予めテーブルとして不揮発性メモリ５６に記憶しておくことができる。そして、例えば図２のステップＳ２０１や図５のステップＳ３０３においてこのテーブルを参照し、条件に合致する場合にはそれぞれステップＳ２０３、Ｓ３０５へ進むように構成すればよい。
【００６６】
また、本実施形態によれば、動画撮影モードにおいては複数同時記録が禁止されるため、動画撮影中に並行して静止画撮影が可能な撮像装置において、動画撮影中に静止画撮影がなされた場合には、複数同時記録が禁止され、撮像装置全体に対する負荷増大を抑制することができる。
【００６７】
なお、上述の実施形態においては、複数同時記録が禁止される場合、複数同時記録を設定する項目を記録メニューに表示しない、或いは選択不能に表示する（灰色表示など）ことで、ユーザに複数同時記録が許可されないことを通知していた。しかし、「このモードでは複数同時記録の設定が出来ません」、「複数同時記録を行うには静止画単写モードに設定するか、撮影画像サイズを小さくして下さい」等のメッセージなどを記録メニューと同時に表示や音声出力することにより、より積極的にユーザに通知するように構成することも可能である。
【００６８】
＜＜他の実施形態＞＞
上述の実施形態では、撮影時の画像処理効果の適用有無と、複数同時記録のオンオフとを独立して設定可能となっていた。しかし、画像処理効果の適用がある場合には複数同時記録を行うものとして取り扱うことも可能である。
【００６９】
この場合、撮影処理は図６に示すフローチャートのようになる。すなわち、まずステップＳ４０１で撮影時の画像処理効果の適用有無を確認し、適用がある場合にはステップＳ４０３で動画撮影モード又は連写モードであるかどうかを調べる。そして、動画撮影モード又は連写モードである場合には、ステップＳ４０５で画像処理効果を適用した動画又は静止画のみを記録する。ステップＳ４０３で単写モードであればステップＳ４０７で画像処理効果を適用しない撮影画像（オリジナル画像）と、画像処理効果を適用した効果画像の両方を記録する。一方、ステップＳ４０１で撮影時の画像処理効果の適用設定がない場合には、通常の動画撮影モード、連写モード及び単写モードでの記録を行う。
【００７０】
このような手順によれば、より単純な処理により複数同時記録の制御を行うことが可能になる。
【００７１】
また、上述した本発明の実施形態における撮像装置を構成する各手段、並びに撮像方法を実現する各ステップは、撮像装置に含まれるコンピュータ（ＣＰＵ）に制御プログラムを実行させることにより、ソフトウェア的に実現することが可能である。このような制御プログラム及びそれを記録したコンピュータ読み取り可能な記憶媒体もまた本発明に含まれる。
【図面の簡単な説明】
【００７２】
【図１】本発明の実施形態に係る撮像装置としてのデジタルカメラの構成例を示すブロック図である。
【図２】本発明の実施形態に係るデジタルカメラ１００における、記録設定処理の動作を説明するフローチャートである。
【図３】図２のステップＳ２０３で表示される設定画面の例を示す図である。
【図４】図２のステップＳ２０９で表示される設定画面の例を示す図である。
【図５】本発明の実施形態に係るデジタルカメラ１００における、撮影処理の動作を説明するフローチャートである。
【図６】本発明の別の実施形態に係るデジタルカメラ１００における、撮影処理の動作を説明するフローチャートである。
【図１】
2006211392.tif 000003
【図２】
2006211392.tif 000004
【図３】
2006211392.tif 000005
【図４】
2006211392.tif 000006
【図５】
2006211392.tif 000007
【図６】
2006211392.tif 000008